【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
レイアウトに関する情報を記憶するサーバと通信を行い、前記レイアウトに関する情報を前記サーバから受信する通信部と、
被写体を撮像し、画像データを出力する撮像部と、
前記通信部が受信した前記レイアウトに関する情報に基づいて表示部を制御し、前記撮像部が出力した画像データに基づくスルー画像を前記表示部に表示させる表示制御部と、
を備え、
前記通信部は、前記撮像部が出力した画像データを前記サーバへ送信する電子機器。
【請求項２】
前記表示制御部は、前記レイアウトに関する情報に基づく画像と前記スルー画像とを前記表示部に表示させる請求項１に記載の電子機器。
【請求項３】
前記表示制御部は、前記レイアウトに関する情報に基づいて、前記スルー画像を前記表示部に表示させる請求項１又は請求項２の何れか一項に記載の電子機器。
【請求項４】
前記表示制御部は、前記レイアウトに関する情報に基づいて、前記スルー画像を前記表示部に表示させる位置を変更する請求項１から請求項３の何れか一項に記載の電子機器。
【請求項５】
前記レイアウトに関する情報は、ウェブページのレイアウトに関する情報を含み、
前記ウェブページを選択する選択部を備え、
前記通信部は、前記選択部が選択した前記ウェブページに基づいて、前記画像データを前記サーバへ送信する請求項１から請求項４の何れか一項に記載の電子機器。
【請求項６】
前記レイアウトに関する情報は、前記ウェブページで画像が表示される表示位置に関する情報を含み、
前記表示制御部は、前記表示位置に基づいて、前記ウェブページを示す画像と前記スルー画像とを前記表示部に表示させる請求項５に記載の電子機器。
【請求項７】
前記表示制御部は、前記ウェブページを示す画像のうち前記表示位置に対応する位置に、前記スルー画像を表示させる請求項６に記載の電子機器。
【請求項８】
前記通信部は、前記被写体に関する情報を前記サーバへ送信し、前記被写体に関する情報に基づいて前記サーバが抽出した前記レイアウトに関する情報を前記サーバから受信する請求項１から請求項７の何れか一項に記載の電子機器。
【請求項９】
前記表示制御部は、前記被写体を強調して前記表示部に表示させる請求項８に記載の電子機器。
【請求項１０】
前記通信部は、位置に関する情報を前記サーバへ送信し、前記位置に関する情報に基づいて前記サーバが抽出した前記レイアウトに関する情報を前記サーバから受信する請求項１から請求項９の何れか一項に記載の電子機器。
【請求項１１】
前記レイアウトに関する情報は、文字に関する情報を含み、
前記表示制御部は、前記文字と前記スルー画像とを前記表示部に表示させる請求項１から請求項１０の何れか一項に記載の電子機器。
【請求項１２】
前記通信部は、前記レイアウトに関する情報が作成又は編集された後、前記レイアウトに関する情報を前記サーバから受信し、
前記表示制御部は、前記レイアウトに関する情報に基づいて前記表示部を制御する請求項１から請求項１１の何れか一項に記載の電子機器。
【請求項１３】
ユーザによって操作される操作部を備え、
前記撮像部は、ユーザによる前記操作部への操作に基づいて画像データを出力し、
前記通信部は、前記スルー画像が前記表示部に表示され、ユーザによる前記操作部への操作に基づいて前記撮像部が出力した画像データを前記サーバへ送信する請求項１から請求項１２の何れか一項に記載の電子機器。
【請求項１４】
電子機器と通信を行うサーバシステムであって、
複数のウェブページのレイアウトに関する情報を記憶する記憶部と、
前記記憶部に記憶された前記複数のウェブページのレイアウトに関する情報のうち前記電子機器が選択した選択ウェブページのレイアウトに関する情報を前記電子機器に送信し、前記電子機器が前記選択ウェブページのレイアウトに関する情報を表示部に表示している場合、前記電子機器が取得した画像データを受信する通信部と、
前記選択ウェブページと前記画像データとを関連付ける制御部と、を備えるサーバシステム。
【請求項１５】
レイアウトに関する情報を記憶するサーバと通信を行い、前記レイアウトに関する情報をサーバから受信する処理と、
被写体を撮像し、画像データを出力する処理と、
受信した前記レイアウトに関する情報に基づいて表示部を制御し、出力された画像データに基づくスルー画像を前記表示部に表示させる処理と、
出力された画像データをサーバへ送信する処理と、をコンピュータに実行させるためのプログラム。
【手続補正２】
【補正対象書類名】明細書
【補正対象項目名】発明の名称
【補正方法】変更
【補正の内容】
【発明の名称】電子機器、サーバシステム及びプログラム
【手続補正３】
【補正対象書類名】明細書
【補正対象項目名】０００７
【補正方法】変更
【補正の内容】
【０００７】
本発明の電子機器は、レイアウトに関する情報を記憶するサーバと通信を行い、前記レイアウトに関する情報を前記サーバから受信する通信部と、被写体を撮像し、画像データを出力する撮像部と、前記通信部が受信した前記レイアウトに関する情報に基づいて表示部を制御し、前記撮像部が出力した画像データに基づくスルー画像を前記表示部に表示させる表示制御部と、を備え、前記通信部は、前記撮像部が出力した画像データを前記サーバへ送信する。
【手続補正４】
【補正対象書類名】明細書
【補正対象項目名】０００８
【補正方法】変更
【補正の内容】
【０００８】
また、前記表示制御部は、前記レイアウトに関する情報に基づく画像と前記スルー画像とを前記表示部に表示させる。
また、前記表示制御部は、前記レイアウトに関する情報に基づいて、前記スルー画像を前記表示部に表示させる。
また、前記表示制御部は、前記レイアウトに関する情報に基づいて、前記スルー画像を前記表示部に表示させる位置を変更する。
【手続補正５】
【補正対象書類名】明細書
【補正対象項目名】０００９
【補正方法】変更
【補正の内容】
【０００９】
また、前記レイアウトに関する情報は、ウェブページのレイアウトに関する情報を含み、前記ウェブページを選択する選択部を備え、前記通信部は、前記選択部が選択した前記ウェブページに基づいて、前記画像データを前記サーバへ送信する。
ここで、前記レイアウトに関する情報は、前記ウェブページで画像が表示される表示位置に関する情報を含み、前記表示制御部は、前記表示位置に基づいて、前記ウェブページを示す画像と前記スルー画像とを前記表示部に表示させる。
また、前記表示制御部は、前記ウェブページを示す画像のうち前記表示位置に対応する位置に、前記スルー画像を表示させる。
【手続補正６】
【補正対象書類名】明細書
【補正対象項目名】００１０
【補正方法】変更
【補正の内容】
【００１０】
また、前記通信部は、前記被写体に関する情報を前記サーバへ送信し、前記被写体に関する情報に基づいて前記サーバが抽出した前記レイアウトに関する情報を前記サーバから受信する。
なお、前記表示制御部は、前記被写体を強調して前記表示部に表示させる。
【手続補正７】
【補正対象書類名】明細書
【補正対象項目名】００１１
【補正方法】変更
【補正の内容】
【００１１】
また、前記通信部は、位置に関する情報を前記サーバへ送信し、前記位置に関する情報に基づいて前記サーバが抽出した前記レイアウトに関する情報を前記サーバから受信する。
また、前記レイアウトに関する情報は、文字に関する情報を含み、前記表示制御部は、前記文字と前記スルー画像とを前記表示部に表示させる。
また、前記通信部は、前記レイアウトに関する情報が作成又は編集された後、前記レイアウトに関する情報を前記サーバから受信し、前記表示制御部は、前記レイアウトに関する情報に基づいて前記表示部を制御する。
【手続補正８】
【補正対象書類名】明細書
【補正対象項目名】００１２
【補正方法】変更
【補正の内容】
【００１２】
ユーザによって操作される操作部を備え、前記撮像部は、ユーザによる前記操作部への操作に基づいて画像データを出力し、前記通信部は、前記スルー画像が前記表示部に表示され、ユーザによる前記操作部への操作に基づいて前記撮像部が出力した画像データを前記サーバへ送信する。
【手続補正９】
【補正対象書類名】明細書
【補正対象項目名】００１３
【補正方法】変更
【補正の内容】
【００１３】
また、本発明のサーバシステムは、電子機器と通信を行うサーバシステムであって、複数のウェブページのレイアウトに関する情報を記憶する記憶部と、前記記憶部に記憶された前記複数のウェブページのレイアウトに関する情報のうち前記電子機器が選択した選択ウェブページのレイアウトに関する情報を前記電子機器に送信し、前記電子機器が前記選択ウェブページのレイアウトに関する情報を表示部に表示している場合、前記電子機器が取得した画像データを受信する通信部と、前記選択ウェブページと前記画像データとを関連付ける制御部と、を備える。
また、本発明のプログラムは、レイアウトに関する情報を記憶するサーバと通信を行い、前記レイアウトに関する情報をサーバから受信する処理と、被写体を撮像し、画像データを出力する処理と、受信した前記レイアウトに関する情報に基づいて表示部を制御し、出力された画像データに基づくスルー画像を前記表示部に表示させる処理と、出力された画像データをサーバへ送信する処理と、をコンピュータに実行させる。